【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
生体の装着する部位の周方向に倣って湾曲するカーラと、
樹脂材料で形成された、二枚のシート部材を溶着することで形成され、流体により膨張する、一つの又は複数が積層される袋状構造体、並びに、前記袋状構造体の前記カーラ側に配置される前記シート部材に一体に設けられ、前記袋状構造体よりも曲げ強度が高い、前記カーラと接着される被接着部を有するカフと、
を備え、
前記被接着部は、
前記シート部材より曲げ強度が高い第１部材と、
前記第１部材と一体に形成され、前記袋状構造体の前記カーラ側に配置される前記シート部材に一体に溶着された第２部材と、
を備える血圧測定装置。
【請求項２】
前記第２部材は、前記シート部材と同じ樹脂材料で構成される、請求項１に記載の血圧測定装置。
【請求項３】
前記第１部材は、金属材料により形成される、請求項１に記載の血圧測定装置。
【請求項４】
前記被接着部は、前記袋状構造体の前記カーラ側に配置される前記シート部材の周縁部に溶着される、請求項１に記載の血圧測定装置。
【請求項５】
前記被接着部は、前記袋状構造体の前記二枚のシート部材を溶着した周縁部よりも前記袋状構造体の中央側で、前記袋状構造体の前記カーラ側に配置される前記シート部材に溶着される、請求項１に記載の血圧測定装置。
【手続補正２】
【補正対象書類名】明細書
【補正対象項目名】０００９
【補正方法】変更
【補正の内容】
【０００９】
一態様によれば、生体の装着する部位の周方向に倣って湾曲するカーラと、樹脂材料で形成された、二枚のシート部材を溶着することで形成され、流体により膨張する、一つの又は複数が積層される袋状構造体、並びに、前記袋状構造体の前記カーラ側に配置される前記シート部材に一体に設けられ、前記袋状構造体よりも曲げ強度が高い、前記カーラと接着される被接着部を有するカフと、を備える血圧測定装置が提供される。
【手続補正３】
【補正対象書類名】明細書
【補正対象項目名】００２５
【補正方法】変更
【補正の内容】
【００２５】
図１は、本発明の第１の実施形態に係る血圧測定装置１の構成を、ベルト４を閉じた状態で示す斜視図である。図２は、血圧測定装置１の構成を、ベルト４を開いた状態で示す斜視図である。図３は、血圧測定装置１の構成を示す分解図である。図４は、血圧測定装置１を手首２００に装着した状態を断面で示す説明図である。図５は、血圧測定装置１の構成を示すブロック図である。図６は、血圧測定装置１の装置本体３及びカーラ５の構成を示す斜視図である。図７は、血圧測定装置１のカフ構造体６の構成を示す平面図である。図８は、血圧測定装置１のカフ構造体６の他の構成を示す平面図である。図９は、血圧測定装置１の平カフ７１側における、ベルト４、カーラ５及びカフ構造体６の構成を図７中ＩＸ−ＩＸ線断面で示す断面図である。図１０は、血圧測定装置１の甲カフ７４側における、カーラ５及びカフ構造体６の構成を図７中Ｘ−Ｘ線断面で示す断面図である。図１１は、血圧測定装置１を手首２００に装着した状態で、カフ構造体６を膨張させたときの構成を示す説明図である。図１２は、血圧測定装置１を手首２００に装着した状態で、カフ構造体６を膨張させたときの構成を図７中ＸＩＩ−ＸＩＩ線断面で示す断面図である。図１３は、血圧測定装置１の甲カフ７４側における、カーラ５及びチューブ９２を省略したカフ構造体６の構成を図７中ＸＩＩＩ−ＸＩＩＩ線断面で示す断面図である。
【手続補正４】
【補正対象書類名】明細書
【補正対象項目名】００５７
【補正方法】変更
【補正の内容】
【００５７】
具体例として、図１、図２及び図４に示すように、カーラ５は、例えば、手首２００の周方向に対して直交する方向からの側面視で、換言すると手首２００の長手方向からの側面視で、手首２００の周方向に沿って湾曲する形状を有する。カーラ５は、例えば、装置本体３から手首２００の手の甲側及び手首２００の一方の側方側を通って手首２００の手の平側へと渡り、手首２００の他方の側方側へと延びる。即ち、カーラ５は、手首２００の周方向に沿って湾曲することで、手首２００の周方向の大半に渡って配置されるとともに、両端が所定の間隔を有して離間する。
【手続補正５】
【補正対象書類名】明細書
【補正対象項目名】００５８
【補正方法】変更
【補正の内容】
【００５８】
カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できることをいう。例えば、形状保持性とは、本実施形態においてはカーラ５の形状が手首の周方向に沿って湾曲する形状を維持できることである。
【手続補正６】
【補正対象書類名】明細書
【補正対象項目名】００７４
【補正方法】変更
【補正の内容】
【００７４】
換言すると、第１部材８２ａが第２部材８２ｂよりも小さい矩形状に構成されることから、第１部材８２ａが一体に形成された第２部材８２ｂは、周縁部に、第４シート部材８６ｄと溶着される接合代を有する。なお、第２部材８２ｂは、第１部材８２ａを覆った状態で第４シート部材８６ｄと周縁部で溶着可能であれば、シート部材８６を用いてもよい。
【手続補正７】
【補正対象書類名】明細書
【補正対象項目名】０１１１
【補正方法】変更
【補正の内容】
【０１１１】
このような流体回路７は、第１開閉弁１６Ａ及び第２開閉弁１６Ｂが閉じることで、第１流路７ａのみがポンプ１４と接続し、ポンプ１４及び平カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び甲カフ７４、甲カフ７４及び平カフ７１、並びに、ポンプ１４及びセンシングカフ７３が流体的に接続される。流体回路７は、第１開閉弁１６Ａが閉じ、そして、第２開閉弁１６Ｂが開くことで、第１流路７ａ及び第３流路７ｃが接続され、平カフ７１、甲カフ７４及び大気が流体的に接続される。流体回路７は、第１開閉弁１６Ａ及び第２開閉弁１６Ｂが開くことで、第１流路７ａ、第２流路７ｂ及び第３流路７ｃが接続され、平カフ７１、センシングカフ７３、甲カフ７４及び大気が流体的に接続される。
【手続補正８】
【補正対象書類名】明細書
【補正対象項目名】０１２７
【補正方法】変更
【補正の内容】
【０１２７】
このため、空気袋８１、１０１の膨張時に被接着部８２はシート部材８６よりも変形量が小さくなる。これにより、先ず、接着層８に加わるカーラ５から離間する方向の力は、被接着部８２を設けた方が、直接カーラ５に空気袋８１、１０１を接着するよりも小さくなる。
【手続補正９】
【補正対象書類名】明細書
【補正対象項目名】０１２８
【補正方法】変更
【補正の内容】
【０１２８】
次に、被接着部８２の変形が少ないことから、空気袋８１、１０１の膨張によって生じた被接着部８２、１０４のカーラ５から離間する方向の力は、被接着部８２、１０４及びカーラ５の面方向に直交する方向又は直交する方向に近似する方向の力となる。このため、溶着部１５０と対向する接着層８に生じるカーラ５及び被接着部８２、１０４が離間する方向の応力は、図１８の（実施形態）に応力を矢印で示すように、引っ張り応力となる。そして、剥離応力よりも引っ張り応力のほうが、カーラ５から空気袋８１、１０１（被接着部８２、１０４）が離間し難い。
【手続補正１０】
【補正対象書類名】明細書
【補正対象項目名】０１４５
【補正方法】変更
【補正の内容】
【０１４５】
例えば、図２２に示す溶着部１５０のように、空気袋８１、１０１を構成する二枚のシート部材８６、１０６の溶着した周縁部よりも中央側で第２部材８２ｂ、１０４ｂ及びシート部材８６ｄ、１０６ｌを溶着する構成であってもよい。このような構成とすることで、空気袋８１、１０１が膨張したときに接着層８に生じる応力集中点が接着層の中央側となるため、応力集中点において生じる応力は引張応力であることから、より、カーラ５及びカフ構造体６が剥離することを抑制できる。